(57)【要約】【課題】使用時間遮断機能を有するガスメータにおいて、ガス流量のなだらかな変化に対しても、ガスメータのガス器具認識状態と実際の流量値を合わせることができるガスメータを提供する。【解決手段】ガスメータは、流量演算手段１２によって３％以上の流量値の変化が連続して２回検出された場合に、器具テーブル１３に使用されているガス器具の流量値を変更し、最大流量器具監視手段１４によって器具テーブル１３に登録された最大流量値の使用時間を監視しているが、流量演算のタイミングで３％未満の流量変化であったとしても所定の期間経過した場合に、および／または、３％未満の流量変化であったとしても一定回数以上の流量変化があった場合に、比較手段１６が前回の器具テーブル登録時の流量値と現在流量値を比較することで監視流量の補正を行っている。【選択図】図１
2010008201.tif 000002
【特許請求の範囲】
【請求項１】
流体の通過量を計測するガス通過量計測手段と、一定のタイミング毎に流量を計測する流量演算手段と、該流量演算手段により求められた流量値によってガス流量の変化値を検出し、該変化値に基づいて使用されているガス器具の流量値の登録または登録の抹消を行なう器具テーブルと、該器具テーブルに登録されたガス器具の最大流量値の時間を監視する最大流量器具監視手段と、該最大流量器具監視手段により監視対象流量が一定期間以上継続した場合にガスを遮断する遮断手段を有するガスメータであって、前記一定のタイミング期間よりも長い期間毎に、前記器具テーブルに前回登録したときの流量値と現在の流量値とを比較する比較手段を有し、これらの流量値に一定以上の変化があれば、前記器具テーブルに登録された流量値の補正を行なうことを特徴とするガスメータ。
【請求項２】
流体の通過量を計測するガス通過量計測手段と、一定のタイミング毎に流量を計測する流量演算手段と、該流量演算手段により求められた流量値によってガス流量の変化値を検出し、該変化値に基づいて使用されているガス器具の流量値の登録または登録の抹消を行なう器具テーブルと、該器具テーブルに登録されたガス器具の最大流量値の時間を監視する最大流量器具監視手段と、該最大流量器具監視手段により監視対象流量が一定期間以上継続した場合にガスを遮断する遮断手段を有するガスメータであって、前記流量演算手段によって計測された流量を前記一定のタイミング毎に比較し、一定未満の流量変化であったとしても、所定回数連続して同じ傾向に変化していることを検出した際に、前記器具テーブルに前回登録したときの流量値と現在の流量値とを比較する比較手段を有し、これらの流量値に一定以上の変化があれば、前記器具テーブルに登録された流量値の補正を行なうことを特徴とするガスメータ。
【発明の詳細な説明】
【技術分野】
【０００１】
本発明はガスメータに関し、より詳細には、ガス器具毎にガス使用時間を監視し、適正なガス使用時間を逸脱するような使用があった場合に、ガスの供給を遮断するガスメータに関する。
【背景技術】
【０００２】
ガスメータはガス器具毎にガス使用時間を監視し、適正なガス使用時間を逸脱することがあった場合、ガスの供給を遮断する機能（以下、「使用時間遮断機能」という。）を持っている。
【０００３】
図６は、従来のガスメータにおける使用時間遮断機能に関する機能ブロックを示す図である。
ガス通過量計測手段２１により計測されたガスの積算量から、流量演算手段２２により一定期間毎のガス流量を算出し、ガス流量が例えば増加した場合に、この増加分に相当するガス器具の使用を開始したものと見なして、器具テーブル２３に使用中の器具流量を登録し、器具テーブル２３に登録された最大流量を最大流量器具監視手段２４内の監視タイマにより監視し、一定期間以上使用された場合、遮断手段２５により、ガス流路を遮断し、安全を確保している。
【０００４】
図７は、従来のガスメータにおける流量登録の動きを示す図であり、横軸は時間を、縦軸はガス流量を示しており、グラフの下に、器具テーブルの登録内容を示している。また、時間軸の目盛りは流量演算のタイミングを示すもので、流量演算はおおよそ１５秒間隔で行われる。
【０００５】
タイミングａまでは１００Ｌ/ｈでガスが使用されており、器具テーブルには監視対象流量として１００Ｌ/ｈが登録されている。タイミングａにおいて流量が３００Ｌ/ｈと算出され、前回から３％以上の変化があるため、次の流量演算のタイミングであるタイミングｂで変化量を計算する。
タイミングｂにおいても３００Ｌ/ｈと算出され、前々回から３％以上の変化があるため、２００Ｌ/ｈ（＝３００−１００）を器具テーブルに登録する。ガスメータは登録された器具テーブルの最大流量の器具について監視を行なうため、このタイミングｂで２００Ｌ/ｈが監視対象流量となる。また、それまで監視対象となっていた１００Ｌ／ｈは監視対象外に変更される。
【０００６】
さらに、タイミングｃにおいて３００Ｌ／ｈから４００Ｌ/ｈと流量が変化すれば、前回から３％以上の変化があるため、次の流量演算のタイミングであるタイミングｄで変化量を計算する。
タイミングｄで１０００Ｌ/ｈと算出されると、タイミングｃでの４００Ｌ/ｈは３００Ｌ/ｈから１０００Ｌ/ｈに変化する過程において流量演算タイミングで平均されたものと想定する。そして、タイミングｄにおいて７００Ｌ/ｈ（＝１０００−３００）の器具が使用されたとして、器具テーブルに登録する。
ガスメータの最大流量器具監視手段は、器具テーブルの中で最大値の器具の監視を行なうため、このタイミングで監視対象は２００Ｌ/ｈから７００Ｌ/ｈに変更され、監視時間も再スタートされる。また、それまで監視対象となっていた２００Ｌ／ｈは監視対象外に変更される。
【０００７】
図８に従来のガスメータにおける使用時間遮断機能の動作のフローチャートを示す。
ここで、変化量計算タイミングフラグとは、今回の流量と前回の流量の変化が３％以上あった際に、次のタイミングでの流量と前々回の流量との変化量を計算することを示すためのフラグである。
【０００８】
ステップＳ３０１で流量演算を行った後、変化量計算タイミングフラグを確認し（ステップＳ３０２）、フラグがＯＮであれば、ステップＳ３０３でフラグをＯＦＦした後、今回の流量と前々回の流量との差をとり（ステップＳ３０４）、差が３％以上であるか否かの判定を行ない（ステップＳ３０５）、差が３％以上であれば、器具テーブルを更新（登録、抹消、補正）する（ステップＳ３０６）。
器具テーブルを更新した結果、最大流量の器具が変更された否かを判定し（ステップＳ３０７）、変更されていたら、監視タイマを再スタートし（ステップＳ３０８）、さらに、今回流量と前回流量をメモリに保存し（ステップＳ３１２）、終了する（ステップＳ３１３）。
【０００９】
ステップＳ３０５で今回流量と前々回流量との差が３％未満である場合、および、ステップＳ３０７で最大流量の器具が変更されていない場合は、監視タイマ継続のまま、今回流量と前回流量をメモリに保存し（ステップＳ３１２）、終了する（ステップＳ３１３）。
【００１０】
ステップＳ３０２において、変化量計算タイミングフラグがＯＦＦの場合は、今回流量と前回流量の差をとり（ステップＳ３０９）、差が３％以上であるか否かの判定を行ない（ステップＳ３１０）、差が３％以上である場合は、次回の流量演算のタイミングで変化量を算出するための変化量計算タイミングフラグをＯＮした後（ステップＳ３１１）、今回流量と前回流量をメモリに保存し（ステップＳ３１２）、終了する（ステップＳ３１３）。
また、ステップＳ３１０で今回流量と前回流量との差が３％未満であれば、変化量計算タイミングフラグはＯＦＦのまま、今回流量と前回流量をメモリに保存し（ステップＳ３１２）、終了する（ステップＳ３１３）。
【００１１】
上記のような使用時間遮断機能を有するガスメータとして、例えば、特許文献１あるいは特許文献２のような提案がなされている。
【特許文献１】特公平０６−１３９２５号公報
【特許文献２】特許第３１６９５９４号明細書
【発明の開示】
【発明が解決しようとする課題】
【００１２】
ガスメータの流量演算手段は、単位時間あたりの平均値で流量値の算出を行っているため、ガスメータがガス器具の流量値を登録する条件は、３％以上の流量値の変化が連続して２回検出された場合としている。
しかし、近年ガス器具の多様化により、ガス流量をなだらかに変化させるガス器具が出現している。この器具の場合は、ガスメータの流量変化検出ができない状況が発生するため、ガス流量のなだらかな変化に対してもガスメータのガス器具認識状態と実際の流量値を合わせることが課題となっている。
【００１３】
図９は従来のガスメータにおける流量登録の動きを示す図であり、課題となっている動きを説明するための図である。
ある器具がタイミングｅで、器具テーブルの監視対象が９００Ｌ/ｈとして登録された後、なだらかに流量を低下させ、７５０Ｌ/ｈで安定したとする。合計流量は、それまで使われていた器具の１００Ｌ/ｈを加えて８５０Ｌ/ｈとなる。このとき、流量演算のタイミングで前回流量との差、ΔＡ、ΔＢ、ΔＣ、ΔＤ、ΔＥ、ΔＦはいずれも３％未満となり、監視対象流量は変更されず、９００Ｌ/ｈのまま監視が進んでしまう。
【００１４】
使用時間遮断機能では、流量が大きいほど遮断までの時間が短くしているため、本例においては、実際ガスを使用継続できる時間が短くなってしまい、消費者に迷惑をかけてしまうことになる。
本発明は、このような状況に鑑みてなされたもので、ガスメータにおいて、３％未満の変化が続いたとしても、器具テーブルの流量値を実態に近づける手段を有することにより、迷惑な遮断を防止し、消費者に不満を与えないガスメータを提供することをその目的とする。
【課題を解決するための手段】
【００１５】
請求項１の発明は、流体の通過量を計測するガス通過量計測手段と、一定のタイミング毎に流量を計測する流量演算手段と、該流量演算手段により求められた流量値によってガス流量の変化値を検出し、該変化値に基づいて使用されているガス器具の流量値の登録または登録の抹消を行なう器具テーブルと、該器具テーブルに登録されたガス器具の最大流量値の時間を監視する最大流量器具監視手段と、該最大流量器具監視手段により監視対象流量が一定期間以上継続した場合にガスを遮断する遮断手段を有するガスメータであって、前記一定のタイミング期間よりも長い期間毎に、前記器具テーブルに前回登録したときの流量値と現在の流量値とを比較する比較手段を有し、これらの流量値に一定以上の変化があれば、前記器具テーブルに登録された流量値の補正を行なうことを特徴としたものである。
【００１６】
請求項２の発明は、流体の通過量を計測するガス通過量計測手段と、一定のタイミング毎に流量を計測する流量演算手段と、該流量演算手段により求められた流量値によってガス流量の変化値を検出し、該変化値に基づいて使用されているガス器具の流量値の登録または登録の抹消を行なう器具テーブルと、該器具テーブルに登録されたガス器具の最大流量値の時間を監視する最大流量器具監視手段と、該最大流量器具監視手段により監視対象流量が一定期間以上継続した場合にガスを遮断する遮断手段を有するガスメータであって、前記流量演算手段によって計測された流量を前記一定のタイミング毎に比較し、一定未満の流量変化であったとしても、所定回数連続して同じ傾向に変化していることを検出した際に、前記器具テーブルに前回登録したときの流量値と現在の流量値とを比較する比較手段を有し、これらの流量値に一定以上の変化があれば、前記器具テーブルに登録された流量値の補正を行なうことを特徴としたものである。
【発明の効果】
【００１７】
流量演算のタイミングで前回の流量と今回の流量とを比較し、３％未満の流量変化であったとしても、所定の期間経過後に前回の器具テーブル登録時の流量値と現在流量値を比較しているため、および／または、３％未満の流量変化であったとしても所定回数以上の流量変化があった場合は前回の器具テーブル登録時の流量値と現在流量値を比較しているため、監視流量の補正が可能となり、実際の流量とは異なる流量で監視を続けることなく、迷惑遮断の発生を防ぐことができ、消費者に不満を与えないガスメータを提供することができる。
【発明を実施するための最良の形態】
【００１８】
（実施例１）
図１は、本発明に係るガスメータにおける使用時間遮断機能に関する機能ブロックを示す図である。
ガス通過量計測手段１１により計測されたガスの積算量から、流量演算手段１２により一定期間毎のガス流量を算出し、例えば３％以上の流量値の増加が連続して２回検出された場合に、この増加分に相当するガス器具の使用を開始したものと見なして、器具テーブル１３に使用中の器具流量を登録し、器具テーブル１３に登録された最大流量を最大流量器具監視手段１４内の監視タイマにより監視し、一定期間以上使用された場合、遮断手段１５により、ガス流路を遮断し、安全を確保している。
【００１９】
比較手段１６は、流量演算手段１２からの流量値をもとに、前回器具テーブルに登録したときの流量値と現在の流量値を比較した結果に基づいて、器具テーブル１３の補正を行なう。その結果、器具テーブル１３内の最大流量が変更になった場合は、最大流量器具監視手段１４は監視タイマをクリアし、再スタートを行なう。
【００２０】
図２は本発明の一実施形態に係るガスメータにおける流量登録の動きを示す図であり、横軸は時間を、縦軸はガス流量を示しており、グラフの下に、器具テーブルの登録内容を示している。また、時間軸の目盛りは流量演算のタイミングを示すものある。
タイミングｆで９００Ｌ/ｈが監視流量として登録されており、その後、３％未満の流量変化で流量が下がっていく。流量演算はおよそ１５秒間隔で行なわれる。例えば、流量演算１０回ごとに流量確認を行なう場合、比較手段１６はタイミングｇでの流量値と前回器具テーブルに登録したタイミングｆの合計流量値とを比較する。
【００２１】
タイミングｆでの流量は１０００Ｌ/ｈ、タイミングｇでの流量は７００Ｌ/ｈとなり、３００Ｌ/ｈ下降したことが分かる。この場合、９００Ｌ/ｈの器具が消されて、６００Ｌ/ｈの器具が追加されたとは考えにくく、同じ器具が比例制御により流量が下がってきたと判断できるため、比較手段１６はタイミングｇで器具テーブル１３の監視対象流量を９００Ｌ/ｈから６００Ｌ/ｈに変更し、最大流量器具監視手段１４は監視対象の最大流量が変わったことを受け、監視タイマを再スタートさせる。
【００２２】
なお、定期的な流量監視のために、流量確認を行う回数は１０回ごとに限られるものではなく、適当な回数を設定することができる。
また、現在流量値と前回テーブル登録した流量値とを比較した結果、器具テーブルの補正を実施するのは、例えば１０％以上の差があった場合としているが、その差は１０％以外の値であってもよい。もちろん、これまでどおり、３％以上の流量変化があった場合は、流量変化に応じて器具テーブルを補正することとなる。
【００２３】
図３は、本発明の一実施形態に係るガスメータにおける使用時間遮断機能の動作を示すフローチャートである。
ここで、変化量計算タイミングフラグとは、前回の流量と今回の流量の変化が３％以上あった際に、次のタイミングでの流量と前々回の流量との変化量を計算することを示すためのフラグである。また、流量演算カウンタとは、ガスメータが流量を検知し始めてから、または、前回カウンタをクリアしてから何回目の流量演算であるかを確認するカウンタであり、図示しないが、流量が一定期間以上検出されなければクリアされる。
【００２４】
ステップＳ１０１で流量演算を行った後、変化量計算タイミングフラグを確認し（ステップＳ１０２）、フラグがＯＮであれば、ステップＳ１０３で変化量計算タイミングフラグをＯＦＦした後、今回の流量と前々回の流量の差を計算し（ステップＳ１０４）、その差が３％以上であるか否かの判定を行なう（ステップＳ１０５）。今回の流量と前々回の流量の差が３％以上であれば、器具テーブルを更新（登録、抹消、補正）する（ステップＳ１０６）。
ステップＳ１０６で器具テーブルを更新した場合は、現在流量を器具テーブル登録時流量としてメモリに保存し（ステップＳ１０７）、流量演算カウンタをクリアし（ステップＳ１０８）、さらに、最大流量の器具が変更されているか否かを判定する（ステップＳ１０９）。
最大流量の器具が変更されていたら、監視対象となる最大流量に対して監視タイマを再スタートし（ステップＳ１１０）、今回流量、前回流量をメモリに保存し（ステップＳ１１９）、終了する（ステップＳ１２０）。
【００２５】
ステップＳ１０５で今回流量と前々回流量の差が３％未満である場合、および、ステップＳ１０９で最大器具が変更されていなかった場合は、監視タイマ継続のまま、今回流量、前回流量をメモリに保存し（ステップＳ１１９）、終了する（ステップＳ１２０）。
【００２６】
ステップＳ１０２において、変化量計算タイミングフラグがＯＦＦの場合は、今回流量と前回流量の差をとり（ステップＳ１１１）、差が３％以上であるか否かの判定を行なう（ステップＳ１１２）。
今回流量と前回流量の差が３％以上である場合は、次回の流量演算のタイミングで変化量を算出するための変化量計算タイミングフラグをＯＮした後（ステップＳ１１３）、今回流量と前回流量をメモリに保存し（ステップＳ１１９）、終了する（ステップＳ１２０）。
【００２７】
ステップＳ１１２で今回流量と前回流量の差が３％未満であれば、比較手段１６は、流量演算カウンタを更新し（ステップＳ１１４）、流量演算カウンタのカウンタ値が１０回以上であるか否かを判定する（ステップＳ１１５）。
カウンタ値が１０回以上であれば、今回流量とメモリに保存してある器具テーブル登録時流量の差を計算し（ステップＳ１１６）、その差が１０％以上であるかの判定を行なう（ステップＳ１１７）。差が１０％以上であれば、器具テーブルを補正し（ステップＳ１１８）、ステップＳ１０７へ移行して以降の処理を行なう。
ステップＳ１１５で流量演算カウンタのカウンタ値が１０未満の場合、および、ステップＳ１１７で今回流量と器具テーブル登録時流量の差が１０％未満であった場合は、今回流量と前回流量をメモリに保存し（ステップＳ１１９）、終了する（ステップＳ１２０）。
【００２８】
このように、流量演算のタイミングで前回の流量と今回の流量とを比較し、３％未満の流量変化であったとしても、所定期間毎に流量比較を行なうことにより、監視流量の補正を行っているため、実際の流量とは異なる流量で監視を続けることなく、迷惑遮断の発生を防ぐことができ、消費者に不満を与えないガスメータを提供することができる。
【００２９】
（実施例２）
図４は本発明の他の実施形態に係るガスメータにおける流量登録の動きを示す図であり、横軸は時間を、縦軸はガス流量を示しており、グラフの下に、器具テーブルの登録内容を示している。また、時間軸の目盛りは流量演算のタイミングを示すものある。
【００３０】
タイミングｈで９００Ｌ/ｈが監視流量として登録されており、その後、３％未満の流量変化で流量が下がっていく。タイミングｉでは、３％未満ではあるが４回連続で流量が下がっているため、比較手段１６は、その時点（タイミングｉ）での流量９００Ｌ/ｈと前回器具テーブルに登録したタイミングｈでの流量１０００Ｌ/ｈを比較し、１００Ｌ/ｈの低下を検出する。
ここで、元々登録されている１００Ｌ/ｈの器具が使用されなくなった可能性もあるが、使用流量１００Ｌ/ｈ程度の器具であれば、使用停止時には３％以上の変化が検知できるため、今回の低下は９００Ｌ/ｈの器具が比例制御により使用流量が下がってきたと判断できる。よって、比較手段１６はタイミングｉで器具テーブル１３の監視対象流量を９００Ｌ/ｈから８００Ｌ/ｈへ変更し、最大流量器具監視手段１４は監視対象の最大流量が変わったことを受け、監視タイマを再スタートさせる。
【００３１】
なお、現在流量値と前回テーブル登録した流量値とを比較した結果、器具テーブルの補正を実施するのは、本例では１０％以上の差があった場合としているが、他の値でもよい。また、本例では、流量変化の傾向が４回以上連続して同じ傾向ならば流量変化の比較を行なうこととしているが、その回数は４回以上に限るものではない。
ただし、監視流量変更後も流量が３％未満の変化量で下がる可能性はあり、その変化が監視回数である４回未満であれば、実態と監視流量が合致しなくなってしまう可能性があるが（例えば、３回３％未満で減少した後１回減少を止めることを繰り返す場合など）、定期的な流量監視を併用することにより、タイミングｊで正しい流量値に補正することができる。
【００３２】
図５Ａ，図５Ｂは、本発明の他の実施形態に係るガスメータにおける使用時間遮断機能の動作を示すフローチャートである。
ここで、変化量計算タイミングフラグとは、前回の流量と今回の流量の変化が３％以上あった際に、次のタイミングでの流量と前々回の流量との変化量を計算することを示すためのフラグである。
また、流量演算カウンタとは、ガスメータが流量を検知し始めてから、または、前回カウンタをクリアしてから何回目の流量演算であるかを確認するカウンタであり、図示しないが、流量が一定期間以上検出されなければクリアされる。
さらに、一定変化カウンタとは、増加または減少の一定方向で連続変化していることを監視するカウンタである。増加傾向フラグとは、前回も前々回と比較して流量が増加していたことを示すフラグであり、減少傾向フラグとは、前回も前々回と比較して流量が減少していたことを示すフラグである。
【００３３】
ステップＳ２０１で流量演算を行った後、変化量計算タイミングフラグを確認し（ステップＳ２０２）、フラグがＯＮであれば、フラグをＯＦＦした後（ステップＳ２０３）、今回流量と前々回流量の差をとり（ステップＳ２０４）、その差が３％以上であるか否かの判定を行なう（ステップＳ２０５）。そして、今回流量と前々回流量の差が３％以上であれば、器具テーブルを更新（登録、抹消、補正）する（ステップＳ２０６）。
器具テーブルを更新した後は、現在流量を器具テーブル登録時流量としてメモリに保存し（ステップＳ２０７）、さらに、一定変化カウンタをクリアし、増加傾向フラグと減少傾向フラグをＯＦＦとする。（ステップＳ２０８）
【００３４】
次に、最大流量の器具が変更されているか否かを判定し（ステップＳ２０９）、最大流量の器具が変更されていたら、新たな最大流量の器具に対する監視タイマを再スタートし（ステップＳ２１０）、さらに、今回流量、前回流量をメモリに保存し（ステップＳ２３２）、終了する（ステップＳ２３３）。
また、ステップＳ２０５で今回流量と前々回流量の差が３％未満である場合、および、ステップＳ２０９で最大器具が変更されていなかった場合は、監視タイマ継続のまま、今回流量と前回流量をメモリに保存し（ステップＳ２３２）、終了する（ステップＳ２３３）。
【００３５】
また、ステップＳ２０２において、変化量計算タイミングフラグがＯＦＦの場合は、今回流量と前回流量の差をとり（ステップＳ２１１）、この差が３％以上であるか否かの判定を行なう（ステップＳ２１２）。そして、今回流量と前回流量の差が３％以上であれば、次回の流量演算のタイミングで変化量を算出するための変化量計算タイミングフラグをＯＮした後（ステップＳＳ２１３）、今回流量と前回流量をメモリに保存し（ステップＳ２３２）、終了する（ステップＳ２３３）。
【００３６】
ステップＳ２１２において、今回流量と前回流量の差が３％未満であれば、今回流量と前回流量を比較し（ステップＳ２１４）、今回流量と前回流量とが一致していれば、一定変化カウンタをクリアするとともに、増加傾向フラグと減少傾向フラグをともにＯＦＦとした後（ステップＳ２１５）、今回流量と前回流量をメモリに保存し（ステップＳ２３２）、終了する（ステップＳ２３３）。
【００３７】
ステップＳ２１４において、今回流量と前回流量が一致していなければ、今回流量が前回流量より大きいか否かを判定し（ステップＳ２１６）、今回流量の方が大きければ、増加傾向フラグがＯＮであるか否かを確認し（ステップＳ２１７）、増加傾向フラグがＯＮであれば、一定変化カウンタを更新する（ステップＳ２１８）。
次に、一定変化カウンタのカウンタ値が４以上であるか否かの判定を行ない（ステップＳ２１９）、４以上であれば、今回流量とメモリに保存してある器具テーブル登録時流量の差をとり（ステップＳ２２０）、その差が１０％以上であるか否かの判定を行なう（ステップＳ２２１）。
【００３８】
そして、ステップＳ２２１で、今回流量と器具テーブル登録時流量の差が１０％以上であれば、器具テーブルを補正し（ステップＳ２２２）、さらに、一定変化カウンタをクリアするとともに、増加傾向フラグと減少傾向フラグをともにＯＦＦした後（ステップＳ２２３）、ステップ２０３へ移行して以降の処理を行なう。
また、ステップＳ２１９において、一定変化カウンタのカウンタ値が４未満での場合、および、ステップＳ２２１において、今回流量と器具テーブル登録時流量の差が１０％未満の場合は、今回流量と前回流量をメモリに保存し（ステップＳ２３２）、終了する（ステップＳ２３３）。
【００３９】
また、ステップＳ２１７において、増加傾向フラグがＯＦＦであれば、増加傾向フラグをＯＮとし（ステップＳ２２４）、減少傾向フラグをＯＦＦとし（ステップＳ２２５）、一定変化カウンタをクリアした後（ステップＳ２２６）、今回流量と前回流量をメモリに保存し（ステップＳ２３２）、終了する（ステップＳ２３３）。
【００４０】
また、ステップＳ２１６において、今回流量が前回流量より小さければ、減少傾向フラグがＯＮか否かを確認し（ステップＳ２２７）、減少傾向フラグがＯＮであれば、一定変化カウンタを更新した後（ステップＳ２２８）、ステップＳ２１９へ移り以降の処理を行なう。
また、ステップＳ２２７において、減少傾向フラグがＯＦＦであれば、減少傾向フラグをＯＮとし（ステップＳ２２９）、増加傾向フラグをＯＦＦとし（ステップＳ２３０）、さらに、一定変化カウンタをクリアした後（ステップＳ２３１）、今回流量と前回流量をメモリに保存し（ステップＳ２３２）、終了する（ステップＳ２３３）。
【００４１】
このように、流量演算のタイミングで前回の流量と今回の流量とを比較し、３％未満の流量変化であったとしても、一定回数以上同じ傾向の動きであった場合に、前回器具テーブル登録時の流量値と現在流量値を比較することにより、監視流量の補正を行っているため、実際の流量とは異なる流量で監視を続けることなく、迷惑遮断の発生を防ぐことができ、消費者に不満を与えないガスメータを提供することができる。
【図面の簡単な説明】
【００４２】
【図１】本発明に係るガスメータにおける使用時間遮断機能に関する機能ブロックを示す図である。
【図２】本発明の一実施形態に係るガスメータにおける流量登録の動きを示す図である。
【図３】本発明の一実施形態に係るガスメータにおける使用時間遮断機能の動作を示すフローチャートである。
【図４】本発明の他の実施形態に係るガスメータにおける流量登録の動きを示す図である。
【図５Ａ】本発明の他の実施形態に係るガスメータにおける使用時間遮断機能の動作を示すフローチャートである。
【図５Ｂ】本発明の他の実施形態に係るガスメータにおける使用時間遮断機能の動作を示すフローチャートである。
【図６】従来のガスメータにおける使用時間遮断機能に関する機能ブロックを示す図である。
【図７】従来のガスメータにおける流量登録の動きを示す図である。
【図８】従来のガスメータにおける使用時間遮断機能の動作のフローチャートである。
【図９】従来のガスメータにおける流量登録の動きを示す図である。
【符号の説明】
【００４３】
１１、２１…ガス通過量計測手段、１２、２２…流量演算手段、１３、２３…器具テーブル、１４、２４…最大流量器具監視手段、１５、２５…遮断手段、１６…比較手段。
【図１】
2010008201.tif 000003
【図２】
2010008201.tif 000004
【図３】
2010008201.tif 000005
【図４】
2010008201.tif 000006
【図５Ａ】
2010008201.tif 000007
【図５Ｂ】
2010008201.tif 000008
【図６】
2010008201.tif 000009
【図７】
2010008201.tif 000010
【図８】
2010008201.tif 000011
【図９】
2010008201.tif 000012